(57)【特許請求の範囲】
【請求項１】
液透過性の表面側シートと、液不透過性の裏面側シートと、これら両シート間に介在された吸収体とを備え、表面側両側部に立体ギャザーが形成された使い捨て紙おむつであって、
香料成分を芯材とし、かつ排泄物と接触すると前記香料成分が流出するマイクロカプセルが、前記吸収体における股下域から腹側に位置する排尿部位である受尿部及び前記吸収体における股下域から背側に位置する排便部位である受便部に、それぞれ付与されており、
前記受尿部の香料成分と前記受便部の香料成分とが、異なるものとされており、
前記吸収体の受尿部及び受便部は、前記吸収体の表面に形成された尿収容用凹部及び便収容用凹部をそれぞれ有しており、これら尿収容用凹部及び便収容用凹部内に前記マイクロカプセルがそれぞれ固定されており、
前記表面側シートにおける前記吸収体の受尿部及び受便部と重なる部位に、前記吸収体の受尿部及び受便部に到る誘導口がそれぞれ形成されている、ことを特徴とする使い捨て紙おむつ。
【請求項２】
前記受尿部及び前記受便部間の吸収体内部に、前記排泄物が前記受尿部及び前記受便部間を流通しないようにする液不透過性の分離シートを備えられている、請求項１記載の使い捨て紙おむつ。
【発明の詳細な説明】
【技術分野】
【０００１】
本発明は、液透過性の表面シートと、液不透過性の裏面シートと、これら両シート間に介在された吸収体とを備え、表面側両側部に立体ギャザーが形成された使い捨て紙おむつに関するものである。より詳しくは、着用者の排泄を知らせることができる使い捨て紙おむつに関するものである。
【背景技術】
【０００２】
この種の使い捨て紙おむつとしては、「芳香の発散性を有する揮発性物質を含有する水溶性樹脂の層と、この水溶性樹脂の層の一面に設けられた揮発性物質を含有しない水溶性樹脂の層とを有する芳香発散層を備えた」もの（例えば、特許文献１参照。）や、「水分に触れるとニオイを発生するニオイ剤を、水分に接触可能に支持してなる」もの（例えば、特許文献２参照。）などがある。これら従来の使い捨て紙おむつは、着用者が排泄をすると、芳香・ニオイが発生するため、監護者・保護者などが着用者の排泄を知ることができる。
しかしながら、これら従来の使い捨て紙おむつは、排泄を知らせる機能は有するものの、それが排尿であるか排便であるかを知らせる機能までは有しない。したがって、排尿であるか排便であるかを知らずに使い捨て紙おむつを交換することになるため、例えば、軟便が流出して監護者等の着衣汚損が生じる場合などがあった。また、排便後の使い捨て紙おむつは吸収性能が低下して漏れが生じ易くなるため、特に排便の場合は、早急に使い捨て紙おむつを交換する必要がある。さらに、排便の場合は、便かぶれの問題があるため、この点でも早急に使い捨て紙おむつを交換する必要がある。
【特許文献１】特開２００２−３６９８３８号公報
【特許文献２】特開２０００−９３４５６号公報
【発明の開示】
【発明が解決しようとする課題】
【０００３】
本発明が解決しようとする主たる課題は、排尿であるか排便であるかを区別して知らせる機能を有する使い捨て紙おむつを提供することにある。
【課題を解決するための手段】
【０００４】
この課題を解決した本発明は、次のとおりである。
〔請求項１記載の発明〕
液透過性の表面側シートと、液不透過性の裏面側シートと、これら両シート間に介在された吸収体とを備え、表面側両側部に立体ギャザーが形成された使い捨て紙おむつであって、
香料成分を芯材とし、かつ排泄物と接触すると前記香料成分が流出するマイクロカプセルが、前記吸収体における股下域から腹側に位置する排尿部位である受尿部及び前記吸収体における股下域から背側に位置する排便部位である受便部に、それぞれ付与されており、
前記受尿部の香料成分と前記受便部の香料成分とが、異なるものとされており、
前記吸収体の受尿部及び受便部は、前記吸収体の表面に形成された尿収容用凹部及び便収容用凹部をそれぞれ有しており、これら尿収容用凹部及び便収容用凹部内に前記マイクロカプセルがそれぞれ固定されており、
前記表面側シートにおける前記吸収体の受尿部及び受便部と重なる部位に、前記吸収体の受尿部及び受便部の少なくともいずれか一方に到る誘導口がそれぞれ形成されている、ことを特徴とする使い捨て紙おむつ。
【０００５】
【０００６】
〔請求項２記載の発明〕
前記受尿部及び前記受便部間の吸収体内部に、前記排泄物が前記受尿部及び前記受便部間を流通しないようにする液不透過性の分離シートを備えられている、請求項１記載の使い捨て紙おむつ。
【０００７】
【発明の効果】
【０００８】
本発明によると、排尿であるか排便であるかを区別して知らせる機能を有する使い捨て紙おむつとなる。
【発明を実施するための最良の形態】
【０００９】
次に、本発明の実施の形態を説明する。なお、以下では、使い捨て紙おむつが「止着テープ型の使い捨て紙おむつ」である場合を例に説明するが、本発明は、使い捨て紙おむつが「パンツ型の使い捨て紙おむつ」である場合などにも適用可能である。
【００１０】
〔使い捨て紙おむつの形状など〕
図１及び図２に示すように、本形態の使い捨て紙おむつ１０は、液透過性の表面側シート１１と、液不透過性の裏面側シート１２と、これら両シート１１，１２間に介在された吸収体３１とが備えられて主になる。表面側シート１１は、トップシート１、セカンドシート４及び後述する被覆シート３２の表面部３２Ａが、この順に積層されて主になる。裏面側シート１２は、被覆シート３２の裏面部３２Ｂ及びバックシート２が、この順に積層されて主になる。バックシート２は、１枚（１層）のシートで構成されていても、２枚、３枚、４枚又はそれ以上の複数枚のシートで構成されていてもよい。２枚のシートで構成されている形態としては、例えば、体液不透過性の防水シート及び体液透過性の外装シートが、この順に積層された形態を例示することができる。この際、防水シートは、例えば、吸収体３１の存在域のみに配置することなどもできる。
【００１１】
一方、本形態においては、吸収体３１が被覆シート３２で被覆されて、吸収要素３が構成されている。被覆シート３２によって、吸収体３１の形状保持が図られる。吸収要素３は、例えば、図１に示すように、前後方向中央部が幅狭の平面略砂時計型状とすることができる。
【００１２】
トップシート１及びバックシート２は、紙おむつ１０の平面外形と同じ形状になっており、前後端部及び両側部が吸収要素３の前後端縁又は両側縁よりも前後方又は側方に延出している。これらトップシート１及びバックシート２の側方への延出は、特に前後端部において長くなっている。この長く延出した部位（以下、単に「延出部」ともいう。）には、例えばファスニングテープ等の止着材など（図示せず）を取り付けることができる。
【００１３】
また、トップシート１及びバックシート２は、この延出部において接合されている。この接合の方法は、特に限定されない。例えば、ホットメルト接着、超音波シール、ヒートシール（熱融着）、ヒートプレス（熱圧着）又はこれらの組み合わせによることができる。
【００１４】
本形態の紙おむつ１０においては、香料成分を芯材とし、かつ尿や便等の排泄物と接触するとかかる香料成分が流出するマイクロカプセル５Ａ，５Ｂ…（図３〜６参照）が、受尿部（紙おむつ１０の排尿される部位）及び受便部（紙おむつ１０の排便される部位）に、それぞれ付与されている。そして、受尿部の香料成分と受便部の香料成分とは、異なるものとされている。したがって、排尿されれば受尿部の香料成分が蒸散し、排便されれば排便部の香料成分が蒸散するというように、排尿・排便の別に応じて異なる香料成分が蒸散することになるため、監護者等は、排尿であるか排便であるかを区別して知ることができる。
【００１５】
ここで、受尿部及び受便部の紙おむつ１０上の平面位置については、股下域から腹側が受尿部に、股下域から背側が受便部に、それぞれなる。
【００１６】
一方、マイクロカプセル５Ａ，５Ｂ…は、図３に示すように、表面側シート１１の表面１１ａ（の受尿部及び受便部）に付与することはしない。この形態によると、マイクロカプセル５Ａ，５Ｂ…脱落のおそれや、肌荒れの原因となるおそれがある。
【００１７】
そこで、これらを防止するという観点からは、吸収体３１の表面３１ａ（本形態では、吸収体３１と被覆シート３２の表面部３２Ａとの間）に付与する。また、マイクロカプセル５Ａ，５Ｂ…の平面方向への移動をも防止するという観点から、図５に示すように、吸収体３１の表面３１ａ（表層）に尿収容用凹部６Ａ及び便収容用凹部６Ｂを設け、この凹部６Ａ，６Ｂ内にマイクロカプセル５Ａ，５Ｂ…を付与する。マイクロカプセル５Ａ，５Ｂ…を吸収体３１の表面３１ａに付与する形態においては、マイクロカプセル５Ａ，５Ｂ…の移動を阻止するために、マイクロカプセル５Ａ，５Ｂ…を吸収体３１の表面３１ａにホットメルト接着剤等で固定する。また、尿収容用凹部６Ａ及び便収容用凹部６Ｂには、尿又は便が収容されるため、マイクロカプセル５Ａ，５Ｂ…と尿や便との接触が瞬間的なものではなくなる。したがって、マイクロカプセル５Ａ，５Ｂ…の壁材を若干強固にすることができる。マイクロカプセル５Ａ，５Ｂ…の壁材を強固にしておくと、マイクロカプセル５Ａ，５Ｂ…に大きな負荷がかかったり、紙おむつ１０内の湿度が上昇したりした場合などにおける、想定しないマイクロカプセル５Ａ，５Ｂ…の崩壊が防止される。
【００１８】
ここで、尿収容用凹部６Ａ及び便収容用凹部６Ｂの深さや径などを変化させることにより、マイクロカプセル５Ａ，５Ｂ…の固定量を変化させることができる。そこで、尿収容用凹部６Ａ及び便収容用凹部６Ｂの深さや径などを相互に異なるものとすることによって、排尿や排便等による臭いの違いをより大きなものとするのも好ましい形態である。
【００１９】
以上、本形態では、受尿部のマイクロカプセル５Ａ，５Ａ…及び受便部のマイクロカプセル５Ｂ，５Ｂ…を、ともに表面側シート１１の表面１１ａ、吸収体の３１の表面３１ａ、あるいは凹部６Ａ，６Ｂに付与する形態を示したが、これに限定する趣旨ではない。例えば、受尿部のマイクロカプセル５Ａ，５Ａ…は吸収体の３１の表面３１ａに、受便部のマイクロカプセル５Ｂ，５Ｂ…は便収容用凹部６Ｂに付与するなど、それぞれ別の部材に付与することもできる。
【００２０】
さらに、マイクロカプセル５Ａ，５Ｂ…が吸収体３１の受尿部や受便部に付与される場合、先の例では、吸収体３１の表面３１ａの受尿部や受便部、あるいは尿収容用凹部６Ａや便収容用凹部６Ｂに付与される場合においては、図６に凹部６Ａ，６Ｂに付与される場合を例に示すように、表面側シート１１に、凹部６Ａ（吸収体３１の受尿部）や凹部６Ｂ（吸収体３１の受便部）に到る尿誘導口７Ａ，７Ａや便誘導口７Ｂ，７Ｂが形成されている。この形態によると、尿は尿収容用凹部６Ａに、便は便収容用凹部６Ｂにと、確実に分別収容されることになるため、排尿・排便の別に応じた香料成分の蒸散が、より確実なものとなる。
【００２１】
この際、誘導口７Ａ，７Ｂ…形成の対象となる表面側シート１１は、図示例では、トップシート１、セカンドシート４及び被覆シート３２の表面部３２Ａのとなる。
【００２２】
一方、以上と同様に、マイクロカプセル５Ａ，５Ｂ…が、吸収体３１の受尿部や受便部に付与される場合においては、図６に凹部６Ａ，６Ｂに付与される場合を例に示すように、凹部６Ａ（吸収体３１の受尿部）及び凹部６Ｂ（吸収体３１の受便部）間では、例えば、体液不透過性の分離シート３１Ａが備えられるなどして、尿や便等の排泄物が流通しないようにされているのが好ましい。この形態によると、尿は尿収容用凹部６Ａに、便は便収容用凹部６Ｂにと、分別収容された後において、便が尿収容用凹部６Ａまで拡散し、あるいは尿が便収容用凹部６Ｂまで拡散するということがなくなるため、排尿・排便の別に応じた香料成分の蒸散が、より確実なものとなる。
【００２３】
この際、製造容易性の観点などからは、分離シート３１Ａで隔離される受尿部側の吸収体３１と受便部側の吸収体３１とを、別体にするのも好ましい形態である。また、別体とするか否かに関わらず、例えば、両者の密度や繊維方向、吸収ポリマーの付与量などを相互に異なるものとし、排便・排尿の特性に応じた吸収性能を付与するのも好ましい形態である。
【００２４】
（その他）
（１）トップシート１と吸収要素３との間には、本形態のようにセカンドシート４を介在させることも、介在させないこともできる。
（２）吸収要素３は、裏面シート２に接合することができる。この接合によって、紙おむつ１０の形状保持性が向上する。なお、この接合は、延出部における接合と同様の方法で行うことができる。
（３）紙おむつ１０には、例えば、立体ギャザーや立体カフス等の公知の漏れ防止手段などを設けることもできる。
（４）マイクロカプセル５，５…には、香料成分の他に、例えば、尿や便の臭いを消臭する消臭剤や、排泄によるｐＨの変移を緩衝するためのｐＨ調整剤、保湿性能等を有するローション薬液、皮膜性能を有する皮膜薬液、雑菌の繁殖などを抑制することができる抗ウィルス剤などを内包することもできる。
（５）マイクロカプセル５Ａ，５Ｂ…の付与は、例えば、表面側シート１１や吸収体３１に対する塗布によって、行うことができる。マイクロカプセル５Ａ，５Ｂ…を塗布（外添）する場合、その塗布方法は、特に限定されない。例えば、スプレー塗布、グラビア塗布、スロット塗布等を、例示することができる。この場合、マイクロカプセル５Ａ，５Ｂ…の塗布量も特に限定されない。例えば、塗布量を、０．１〜２０ｇ／ｍ2とすることができる。
（６）本形態においては、繰り返しの排尿・排便に対してもお知らせ機能が発揮されるよう、壁材の崩壊性が異なるマイクロカプセル５Ａ，５Ｂ…を種々混合するのも好ましい。崩壊性のコントロールは、例えば、マイクロカプセル５Ａ，５Ｂ…の壁材を多重構造とする、マイクロカプセル５Ａ，５Ｂ…の壁材の溶解度を調節する、マイクロカプセル５Ａ，５Ｂ…の壁材の厚みを変える、ことなどによって実現することができる。
【００２５】
〔各部材の素材等〕
（トップシート１）
本形態において、トップシート１は体液を透過する性質を有する。したがって、トップシート１の素材は、この体液透過性を発現するものであれば足り、例えば、有孔又は無孔の不織布や、多孔性プラスチックシートなどを例示することができる。また、このうち不織布は、その原料繊維が何であるかは、特に限定されない。例えば、ポリエチレン（ＰＥ）やポリプロピレン（ＰＰ）等のオレフィン系、ポリエステル系、ポリアミド系等の合成繊維、レーヨンやキュプラ等の再生繊維、綿等の天然繊維などや、これらから二種以上が使用された混合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法等を例示することができる。例えば、柔軟性、ドレープ性を求めるのであれば、スパンレース法が、嵩高性、ソフト性を求めるのであれば、サーマルボンド法が、好ましい加工方法となる。
また、トップシート１は、１枚のシートからなるものであっても、２枚以上のシートを貼り合せて得た積層シートからなるものであってもよい。同様に、トップシート１は、平面方向に関して、１枚のシートからなるものであっても、２枚以上のシートからなるものであってもよい。
【００２６】
（セカンドシート４）
セカンドシート４は、体液を拡散し透過する性質を有する。したがって、セカンドシート４の素材は、この体液拡散・透過性を発現するものであれば足り、例えば、トップシート１と同様の素材などを例示することができる。ただし、例えば、スパンレース、パルプ不織布、パルプとレーヨンとの混合シート、ポイントボンド又はクレープ紙であると、好ましいものとなる。また、セカンドシート４は、トップシート１よりも体液の透過性がよいものが特に好ましく、トップシート１よりも繊維密度が小さい、例えば、ポリプロピレン、ポリエチレン、ポリエチレンテレフタレート、ポリアミド、ナイロン、レーヨン、ビニロン、アクリル等からなる不織布であると、特に好ましいものとなる。
【００２７】
（吸収体３１）
吸収体３１としては、例えば、フラッフ状のパルプ繊維集合体（積繊パルプ）内に、粒状の吸収性ポリマーが混入されてなるものなどを、例示することができる。
吸収性ポリマーとしては、自重の例えば１０倍以上の体液を吸収して保持するものを使用することができる。この例としては、でんぷん系や、セルロース系、合成ポリマー系などのものがあり、でんぷん‐アクリル酸（塩）グラフト共重合体、でんぷん‐アクリロニトリル共重合体のケン化物、ナトリウムカルボキシメチルセルロースの架橋物やアクリル酸（塩）重合体などのものを用いることができる。吸収性ポリマーの形状としては、通常用いられる粉粒体状のものが好適であるが、他の形状のものも用いることができる。
積繊パルプに対する吸収性ポリマーの量的配置、密度分布は、汎用を目的とする場合には均一であるのが好ましいが、特別の吸収特性を発揮させることを目的とした場合、その目的に応じて偏らせるのも好ましい。
一方、積繊パルプの原料素材は、特に限定されない。例えば、綿状パルプや合成パルプなどの公知の素材を例示することができる。また、パルプの原料繊維は特に限定されず、例えば、機械パルプ、化学パルプ、溶解パルプ等の木材から得られるセルロース繊維や、レーヨン、アセテート等の人工セルロース繊維などを例示することができる。ただし、セルロース繊維の原材料となる木材は、広葉樹より針葉樹の方が、繊維長が長いため、機能及び価格の面で好ましい。
【００２８】
（被覆シート３２）
本形態において、被覆シート３２の素材は体液を透過する性質を有するものであればよく、その種類は特に限定されない。例えば、トップシート１として例示したのと同様の素材とすることができる。具体的には、例えば、クレープ紙、不織布、孔開きシート等の体液透過性シートを用いることができる。
【００２９】
（バックシート３）
本形態において、バックシート３は体液を透過しない性質を有する。したがって、バックシート３の素材は、この体液不透過性を発現するものであれば足り、例えば、ポリエチレンやポリプロピレン等のオレフィン系樹脂や、ポリエチレンシート等に不織布を積層したラミネート不織布、防水シートを介在させて実質的に不透液性を確保した外装シート等の不織布（この場合は、防水シートと外装シート等の不織布とで体液不透過性のバックシート３が構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【００３０】
（マイクロカプセル５Ａ，５Ｂ）
本形態のマイクロカプセル５Ａ，５Ｂは、尿や便等の排泄物と接触すると香料成分等の芯材が流出する性質を有する。どのような仕組みで香料成分等の芯材が流出するかは、特に限定されない。例えば、排泄物中の液分を吸うと壁材が壊れる形態、排泄物中の液分を吸うと膨潤して壁材に形成されている細孔が開く形態、排泄物中の液分を吸うと壁材が溶出する形態、などを例示することができる。また、このような液分の吸収による形態に変えて、排泄物との接触による受熱、ｐＨ変化によって、同様の現象が生じる形態も例示することができる。
マイクロカプセル５Ａ，５Ｂの壁材としては、例えば、ゼラチン、寒天、各種天然ゲル化剤、グリセリンなどを例示することができる。また、カプセルの構造も特に限定されず、例えば、単純単核のものを例示することができる。
さらに、マイクロカプセル５Ａ，５Ｂの形状も、特に限定されない。ただし、着用者に異物感を与えないよう、突起部のない形状であるのが好ましい。
一方、マイクロカプセル５Ａ，５Ｂの大きさも、特に限定されない。着用者の異物感防止などの観点から、適宜設計することができる。異物感防止という観点からは、通常、０．１〜１０００μｍ、好ましくは１〜５０μｍである。
【００３１】
（香料成分）
本形態において、香料成分は、少なくとも２種類必要であり、監護者等が排尿であるか排便であるかを区別して知ることができる程度に異なる香料成分である必要がある。もっとも、個々の香料成分がいかなるものであるかは、特に限定されない。例えば、ローズ、ラベンダー、ミント、レモン等を例示することができ、これらの香料成分は、天然抽出物であっても、合成物であってもよい。また、機能の点で、香料成分は、尿や便の臭いを消す消臭効果を有するものであっても。尿や便の臭いを認識することができなくするマスキング効果を有するものであってもよい。
【００３２】
（その他の芯材）
（１）本形態においては、香料成分とともに、ローション薬液をも含んでも、好ましいものとなる。香料成分とともに、ローション薬液を含んでいると、肌触り性（風合い）や、保湿性、潤い感が高まり、あるいはトップシート１の繊維等による肌への刺激が和らげられる。
【００３３】
本形態において、使用することができるローション薬液とは、肌触り性（風合い）を高め、あるいは保湿性を高め、あるいは繊維等の肌への刺激を和らげ、あるいは潤い感を高めることを主眼とするものであり、その種類は、特に限定されない。例えば、保湿性薬液としては、シリコーンオイル、シリコーンパウダー等のポリシロキサン、グリセリン、プロピレングリコール等の多価アルコール、ソルビトール、グルコース等の糖類、グリコール系溶剤及びその誘導体のうちの少なくとも１種の保湿剤を含むものを用いてなるものを、例示することができる。また、以上の薬液には、例えば、ビタミンＣ、ビタミンＥ、コラーゲンなどを含む薬液を併用することができる。この種の薬液は、潤い感を高める機能がある。ビタミンＣおよびビタミンＥは抗酸化剤としても機能する。ビタミンＥは、還元力の強い成分で、活性酸素・フリーラジカルを消去し、あるいは過酸化脂質の発生を防ぐ抗酸化作用がある。したがって、ビタミンＥは薬液の安定化剤として機能するとともに、肌の皮脂の酸化防止効果および血行促進効果が発揮される。また、保湿機能もある。ビタミンＣは、ビタミンＥと同じく皮脂の抗酸化作用がある。ビタミンＣは、ビタミンＥを還元するする作用があるため、ビタミンＣ，Ｅの両方を用いると、ビタミンＣがビタミンＥの助剤として働き、活性酸素などにより酸化されたビタミンＥを還元し、ビタミンＥの強力な皮脂の抗酸化作用を維持する作用が奏せられる。コラーゲンは、肌の真皮の９０％を形成しており、これが減少すると肌に潤いや張りがなくなる。したがって、肌と接触したときに肌に潤いを与える保湿効果を発揮する。また、薬液としては、特にｐＨが５．０〜６．０の弱酸性とされたものであると、肌に対して接触させても肌がアルカリ性になることがなく、薬液ｐＨの影響による肌荒れを効果的に防止できる。特に好適なｐＨ範囲は５．３〜５．７である。ｐＨの調整法としては、酸性又は塩基性のｐＨ調整剤を薬液に添加することにより行うことができ、薬液が強酸性の場合には水酸化ナトリウム水溶液や水酸化カリウム水溶液を用いることができ、中性・アルカリ性の場合にはクエン酸やリンゴ酸、乳酸を用いることができる。
【００３４】
清涼感を得るための薬液としては、ソルビトール、アルチトール、キシリトール、エリスリトール、ラクチトール、パラチニットを挙げることができる。特に好ましいものは、エリスリトール、キシリトール、ソルビトールであり、さらに好ましいくはエリスリトール又はキシリトールである。さらに、メントール、サリチル酸、α−シネロール、及びこれらの誘導体の群から選ばれた一種又は二種以上の冷感剤を含ませることができる。
【００３５】
柔軟剤の代表例は、界面活性剤系の柔軟剤であり、その柔軟剤としては、アニオン系界面活性剤、非イオン系界面活性剤、カチオン系界面活性剤および両性イオン界面活性剤のなかから適宜選択して用いることができ、特にアニオン系界面活性剤が好適である。アニオン系界面活性剤としては、カルボン酸塩系、スルホン酸塩系、硫酸エステル塩系、燐酸エステル塩系などを用いることができる。特にアルキル燐酸エステル塩が好ましい。
【００３６】
非イオン界面活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレートなどの多価アルコールモノ脂肪酸エステル、Ｎ−（３−オレイロシキ−２−ヒドロキシプロピル）ジエタノールアミン、ポリオキシエチレン硬化ヒマシ油、ポリオキシエチレンソルビット密ロウ、ポリオキシエチレンソルビタンセスキステアレート、ポリオキシエチレンモノオレエート、ポリオキシエチレンモノラウレート、ポリオキシエチレンセチルエーテル、ポリオキシエチレンラウリルエーテルなどを用いることができる。
【００３７】
カチオン界面活性剤としては、第４級アンモニウム塩、アミン塩、またはアミンなどをもちいることができる。また、両性イオン界面活性剤としては、カルボキシ、スルホネート、サルフェートを含有する第２級または第３級アミンの脂肪族誘導体、または複素環式第２級または第３級アミンの脂肪族誘導体などを用いることができる。
【００３８】
以上、本形態においては、さまざまなローション薬液を使用することができるが、特に、流動パラフィン５〜２０％と、多価アルコール類５０〜８５％と、糖類３〜３０％と、さらに必要ならば５％以下の非イオン界面活性剤とを主剤とする薬液を用いると、好ましいものとなる。流動パラフィンの添加量が５％未満であると、しっとり感が低下し、また滑らかさが低下し、ざらつく。逆に２０％を超えると、ねばつき感（べとつき感）を与えるとともに、ざらつき、さらに硬い感じを与えるようになる。より好適な範囲は、８〜１５％である。
【００３９】
多価アルコール類の添加量は５０〜８５％とされる。５０％未満では、清拭効果としっとり感が劣る。８５％を超えると、他の成分の添加量が少なくなり、全体の特性のバランスが悪くなる。また、強度の劣化が起こり、破れ易くなるとともに、べたついた感じを与えるようになる。多価アルコール類としては、特にグリセリン又はプロピレングリコールあるいはそれらの混合物からなるのが好ましい。
【００４０】
糖類の添加量は３〜３０％とされる。３％未満では、しっとり感とやわらかさが低下し、３０％を超えると、全体の特性のバランスが悪くなり、強度劣化が起こり、破れ易くなる。糖類としては、特にソルビトール又はグルコースあるいはそれらの混合物からなるものが好適である。
【００４１】
さらに必要ならば５％以下の非イオン界面活性剤を添加することができる。非イオン活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレート等の多価アルコールモノ脂肪酸エステル、Ｎ−（３−オレイロキシ−２−ヒドロキシプロピル）ジエタノールアミン、ポリオキシエチレン硬化ヒマシ油、ポリオキシエチレンソルビット蜜ロウ、ポリオキシエチレンソルビタンセスキステアレート、ポリオキシエチレンモノオレエート、ポリオキシエチレンソルビタンセスキステアレート、ポリオキシエチレングリセリルモノオレート、ポリオキシエチレンモノステアレート、ポリオキシエチレンモノラウレート、ポリオキシエチレンモノオレエート、ポリオキシエチレンセチルエーテル、ポリオキシエチレンラウリルエーテル等を挙げることができる。
【００４２】
これらの薬液に対して、陰イオン界面活性剤、香料、着色料、防腐剤、酸化防止剤などの副次的添加剤を、１％以下の割合で添加することができる。
【００４３】
（２）本形態においては、香料成分とともに、抗ウィルス剤を含んでも、好ましいものとなる。香料成分とともに、抗ウィルス剤を含んでいると、雑菌の繁殖が抑制される。
本形態において、使用することができる抗ウィルス剤の種類は、特に限定されない。天然（生体（動植物）内の成分中に含まれている）の抗ウィルス剤、非天然の抗ウィルス剤のいずれをも使用することができる。具体的には、例えば、オシメン、カンフェン、リモネン、サビネン、ミルセン、テルピネン、ピネン、シメン等の植物抽出成分中に含まれるモノテルペン炭化水素類や、シトロネロール、ゲラニオール、イソプレゴール、リナロール、テルピネロール等のモノテルペンアルコール類、アネトール、カルバクロール、オイゲノール、チモール、パラクレゾール、カビコール等のフェノール類、ｔ−アネトール、チャビコールメチルエーテル、サフロール等のフェノールエーテル類、アセトアルデヒド、シトラール、シトロネラール、ゲラニアール、ペリルアルデヒド、パレラナール等のアルデヒド類、アセトフェノン、カンファー、ジャスモン、ノートカトン、メントン、フェンコン、カルボン、プレゴン等のケトン類、カリオレフィンオキサイド、シネオール、ビサボロールオキサイド等の酸化物類、カテキン、プロアントシアニディン、フラボン、フラバノン、アントシアニン、フェノール類、フラボノール等のフラボノイド類、などの薬効成分の中から、一種又は数種を適宜選択して使用することができる。また、以上のほかにも、例えば、アスコルビン酸、カルボン酸、クエン酸等の有機酸や、アニオン界面活性剤、カチオン界面活性剤、両性界面活性剤、非イオン界面活性剤などを使用することもできる。
【００４４】
（３）本形態においては、香料成分とともに、皮膜性能を有する皮膜薬液を含んでも、好ましいものとなる。香料成分とともに、皮膜薬液を含んでいると、当接肌面をバリヤし、肌の外部から刺激、水分の放出を抑制することができる。
本形態において、使用することができる皮膜薬液の種類は、特に限定されない。例えば、ポリエチレングリコール、プロピレングリコール、ヒアルロン酸、アミノ酸、ラノリンなどを用いることができる。
【産業上の利用可能性】
【００４５】
本発明は、着用者の排泄を知らせることができる使い捨て紙おむつとして、適用可能である。
【図面の簡単な説明】
【００４６】
【図１】使い捨て紙おむつの平面図である。
【図２】図１のＩ−Ｉ線断面図である。
【図３】図２のＩＩ−ＩＩ線断面図例（マイクロカプセル付与例）である。
【図４】図２のＩＩ−ＩＩ線断面図例（マイクロカプセル付与例）である。
【図５】図２のＩＩ−ＩＩ線断面図例（マイクロカプセル付与例）である。
【図６】図２のＩＩ−ＩＩ線断面図例（マイクロカプセル付与例）である。
【符号の説明】
【００４７】
１…トップシート、２…バックシート、３…吸収要素、４…セカンドシート、５Ａ，５Ｂ…マイクロカプセル、６Ａ，６Ｂ…凹部、７Ａ，７Ｂ…誘導口、１０…使い捨て紙おむつ、１１…表面側シート、１２…裏面側シート、３１…吸収体、３２…被覆シート。
【図１】
0004790473.tif 000002
【図２】
0004790473.tif 000003
【図３】
0004790473.tif 000004
【図４】
0004790473.tif 000005
【図５】
0004790473.tif 000006
【図６】
0004790473.tif 000007